(57)【要約】      （修正有）【課題】ペーシングを有する、非侵襲性の、身体に取付けられる、携帯型医療モニタリングおよび治療装置を提供する。【解決手段】非侵襲性の携帯型ペーシング装置１００は、バッテリーと、バッテリーに結合された少なくとも１つの治療電極１１４と、患者の心臓活動を示す情報を格納するメモリと、メモリおよび少なくとも１つの治療電極に結合された少なくとも１つのプロセッサとを含む。少なくとも１つのプロセッサは、ＥＣＧ検知電極１１２によって得られた情報内の心不整脈を識別し、識別された心不整脈を治療するために少なくとも１つのペーシングルーチンを実行するように構成されている。【選択図】図１
2018161511.tif 000002
【特許請求の範囲】
【請求項１】
非侵襲性の、身体に取付けられる、携帯型医療モニタリングおよび治療装置であって、
バッテリーと、
バッテリーに結合された少なくとも１つの治療電極と、
患者の心臓活動を示す情報を格納するメモリと、
メモリおよび少なくとも１つの治療電極に結合されて、情報内の心不整脈を識別し、識別された心不整脈を治療するために少なくとも１つのペーシングルーチンを実行するように構成されている、少なくとも１つのプロセッサとを備える、装置。
【請求項２】
心不整脈は徐脈を含み、少なくとも１つのペーシングルーチンは、
心拍を検出することなく第１の間隔が経過したと判断し、
第１の間隔が経過したと判断したことに応答して、少なくとも１つの治療電極を介してペーシングパルスを印加するように構成されている、請求項１に記載の装置。
【請求項３】
第１の間隔は、ベースペーシングレートおよびヒステリシスレートによって規定される、請求項２に記載の装置。
【請求項４】
少なくとも１つのペーシングルーチンはさらに、
第２の間隔の経過に先立って固有心拍を検出し、
ベースペーシングレートと、ヒステリシスレートと、固有心拍が検出された点とに基づいて、第３の間隔を判断し、
第３の間隔内で別の固有心拍が生じるかどうか判断するように構成されている、請求項３に記載の装置。
【請求項５】
心不整脈は頻脈を含み、少なくとも１つのペーシングルーチンは、
第１の間隔の経過に先立って複数の固有心拍を検出するように構成されており、複数の固有心拍は固有周波数を有し、第１の間隔は抗頻脈性不整脈ペーシングレートによって規定され、少なくとも１つのペーシングルーチンはさらに、
固有周波数を検出したことに応答して、少なくとも１つの治療電極を介して一連のペーシングパルスを印加するように構成されており、一連のペーシングパルスは、固有周波数を上回る周波数を有する、請求項１に記載の装置。
【請求項６】
心不整脈は不規則な心拍数を含み、少なくとも１つのペーシングルーチンは、
情報内のより低い周波数を有する第１の一連の心拍を識別し、
情報内のより高い周波数の第２の一連の心拍を識別し、
不規則な心拍数を識別したことに応答して、少なくとも１つの治療電極を介して一連のペーシングパルスを印加するように構成されており、一連のペーシングパルスは、より低い周波数を上回り、かつより高い周波数を下回る周波数を有する、請求項１に記載の装置。
【請求項７】
心不整脈は、心停止および無脈性電気活動のうちの少なくとも１つを含み、少なくとも１つのペーシングルーチンは、
心拍を検出することなく第１の間隔が経過したと判断し、
第１の間隔が経過したと判断したことに応答して、少なくとも１つの治療電極を介してペーシングパルスを印加するように構成されている、請求項１に記載の装置。
【請求項８】
少なくとも１つのペーシングルーチンはさらに、
少なくとも１つのペーシングルーチンが捕捉をもたらしたかどうか判断し、
捕捉がもたらされなかったと判断したことに応答して、少なくとも１つのペーシングル
ーチンのその後の実行中に印加されるペーシングパルスの特性を調節するように構成されている、請求項１に記載の装置。
【請求項９】
調節されるペーシングパルスの特性は、パルスエネルギーレベル、パルスレート、およびパルス幅を含む、請求項８に記載の装置。
【請求項１０】
少なくとも１つのペーシングルーチンはさらに、
少なくとも１つのペーシングルーチンが捕捉をもたらしたかどうか判断し、
捕捉がもたらされたと判断したことに応答して、少なくとも１つのペーシングルーチンのその後の実行中に印加されるペーシングパルスの特性を調節するように構成されている、請求項１に記載の装置。
【請求項１１】
非侵襲性の、身体に取付けられる、携帯型除細動器であって、
バッテリーと、
バッテリーに結合された少なくとも１つの治療電極と、
患者の心臓活動を示す情報を格納するメモリと、
メモリおよび少なくとも１つの治療電極に結合されて、情報内の心不整脈を識別し、識別された心不整脈を治療するために少なくとも１つのペーシングルーチンを実行するように構成されている、少なくとも１つのプロセッサとを備える、除細動器。
【請求項１２】
心不整脈は徐脈を含み、少なくとも１つのペーシングルーチンは、
心拍を検出することなく第１の間隔が経過したと判断し、
第１の間隔が経過したと判断したことに応答して、少なくとも１つの治療電極を介してペーシングパルスを印加するように構成されている、請求項１１に記載の除細動器。
【請求項１３】
第１の間隔は、ベースペーシングレートおよびヒステリシスレートによって規定される、請求項１２に記載の除細動器。
【請求項１４】
少なくとも１つのペーシングルーチンはさらに、
第２の間隔の経過に先立って固有心拍を検出し、
ベースペーシングレートと、ヒステリシスレートと、固有心拍が検出された点とに基づいて、第３の間隔を判断し、
第３の間隔内で別の固有心拍が生じるかどうか判断するように構成されている、請求項１３に記載の除細動器。
【請求項１５】
心不整脈は頻脈を含み、少なくとも１つのペーシングルーチンは、
第１の間隔の経過に先立って複数の固有心拍を検出するように構成されており、複数の固有心拍は固有周波数を有し、第１の間隔は抗頻脈性不整脈ペーシングレートによって規定され、少なくとも１つのペーシングルーチンはさらに、
固有周波数を検出したことに応答して、少なくとも１つの治療電極を介して一連のペーシングパルスを印加するように構成されており、一連のペーシングパルスは、固有周波数を上回る周波数を有する、請求項１１に記載の除細動器。
【請求項１６】
少なくとも１つのペーシングルーチンはさらに、一連のペーシングパルスを印加した後で、第２の間隔内で別の複数の固有心拍が生じるかどうか検出するように構成されており、第２の間隔は抗頻脈性不整脈ペーシングレートによって規定される、請求項１５に記載の除細動器。
【請求項１７】
心不整脈は不規則な心拍数を含み、少なくとも１つのペーシングルーチンは、
情報内のより低い周波数を有する第１の一連の心拍を識別し、
情報内のより高い周波数の第２の一連の心拍を識別し、
不規則な心拍数を識別したことに応答して、少なくとも１つの治療電極を介して一連のペーシングパルスを印加するように構成されており、一連のペーシングパルスは、より低い周波数を上回り、かつより高い周波数を下回る周波数を有する、請求項１１に記載の除細動器。
【請求項１８】
心不整脈は、心停止および無脈性電気活動のうちの少なくとも１つを含み、少なくとも１つのペーシングルーチンは、
心拍を検出することなく第１の間隔が経過したと判断し、
第１の間隔が経過したと判断したことに応答して、少なくとも１つの治療電極を介してペーシングパルスを印加するように構成されている、請求項１１に記載の除細動器。
【請求項１９】
少なくとも１つのペーシングルーチンはさらに、ペーシングパルスを印加する前に除細動ショックを印加するように構成されている、請求項１８に記載の除細動器。
【請求項２０】
少なくとも１つのペーシングルーチンはさらに、
少なくとも１つのペーシングルーチンが捕捉をもたらしたかどうか判断し、
捕捉がもたらされなかったと判断したことに応答して、少なくとも１つのペーシングルーチンのその後の実行中に印加されるペーシングパルスの特性を調節するように構成されている、請求項１１に記載の除細動器。
【請求項２１】
調節されるペーシングパルスの特性は、パルスエネルギーレベル、パルスレート、およびパルス幅を含む、請求項２０に記載の除細動器。
【請求項２２】
少なくとも１つのペーシングルーチンはさらに、
少なくとも１つのペーシングルーチンが捕捉をもたらしたかどうか判断し、
捕捉がもたらされたと判断したことに応答して、少なくとも１つのペーシングルーチンのその後の実行中に印加されるペーシングパルスの特性を調節するように構成されている、請求項１１に記載の除細動器。
【請求項２３】
非侵襲性の、身体に取付けられる、携帯型医療モニタリングおよび治療装置を使用して、心機能障害を治療する方法であって、前記方法は、
非侵襲性の、身体に取付けられる、携帯型医療モニタリングおよび治療装置によって、患者の心臓活動を示す情報内の心不整脈を識別することと、
非侵襲性の、身体に取付けられる、携帯型医療モニタリングおよび治療装置によって、識別された心不整脈を治療するために少なくとも１つのペーシングルーチンを実行することとを備える、方法。
【請求項２４】
心不整脈は徐脈を含み、少なくとも１つのペーシングルーチンを実行することは、
心拍を検出することなく第１の間隔が経過したと判断することと、
第１の間隔が経過したと判断したことに応答して、少なくとも１つの治療電極を介してペーシングパルスを印加することとを含む、請求項２３に記載の方法。
【請求項２５】
第１の間隔が経過したと判断することは、ベースペーシングレートおよびヒステリシスレートを使用して第１の間隔を規定することを含む、請求項２４に記載の方法。
【請求項２６】
少なくとも１つのペーシングルーチンを実行することは、
第２の間隔の経過に先立って固有心拍を検出することと、
ベースペーシングレートと、ヒステリシスレートと、固有心拍が検出された点とに基づいて、第３の間隔を判断することと、
第３の間隔内で別の固有心拍が生じるかどうか判断することとを含む、請求項２５に記載の方法。
【請求項２７】
心不整脈は頻脈を含み、少なくとも１つのペーシングルーチンを実行することは、
第１の間隔の経過に先立って複数の固有心拍を検出することを含み、複数の固有心拍は固有周波数を有し、第１の間隔は抗頻脈性不整脈ペーシングレートによって規定され、少なくとも１つのペーシングルーチンを実行することはさらに、
固有周波数を検出したことに応答して、少なくとも１つの治療電極を介して一連のペーシングパルスを印加することを含み、一連のペーシングパルスは、固有周波数を上回る周波数を有する、請求項２３に記載の方法。
【請求項２８】
心不整脈は不規則な心拍数を含み、少なくとも１つのペーシングルーチンを実行することは、
情報内のより低い周波数を有する第１の一連の心拍を識別することと、
情報内のより高い周波数の第２の一連の心拍を識別することと、
不規則な心拍数を識別したことに応答して、少なくとも１つの治療電極を介して一連のペーシングパルスを印加することとを含み、一連のペーシングパルスは、より低い周波数を上回り、かつより高い周波数を下回る周波数を有する、請求項２３に記載の方法。
【請求項２９】
心不整脈は、心停止および無脈性電気活動のうちの少なくとも１つを含み、少なくとも１つのペーシングルーチンを実行することは、
心拍を検出することなく第１の間隔が経過したと判断することと、
第１の間隔が経過したと判断したことに応答して、少なくとも１つの治療電極を介してペーシングパルスを印加することとを含む、請求項２３に記載の方法。
【請求項３０】
少なくとも１つのペーシングルーチンを実行することは、ペーシングパルスを印加する前に除細動ショックを印加することを含む、請求項２９に記載の方法。
【請求項３１】
少なくとも１つのペーシングルーチンを実行することは、
少なくとも１つのペーシングルーチンが成功した捕捉をもたらしたかどうか判断することと、
捕捉がもたらされなかったと判断したことに応答して、少なくとも１つのペーシングルーチンのその後の実行中に印加されるペーシングパルスの特性を調節することとを含む、請求項２３に記載の方法。
【請求項３２】
特性を調節することは、パルスエネルギーレベル、パルスレート、およびパルス幅のうちの少なくとも１つを調節することを含む、請求項３１に記載の方法。
【請求項３３】
非侵襲性の、身体に取付けられる、携帯型医療モニタリングおよび治療装置は、非侵襲性の、身体に取付けられる、携帯型除細動器を含み、心不整脈を識別することは、非侵襲性の、身体に取付けられる、携帯型除細動器によって、心不整脈を識別することを含む、請求項２３に記載の方法。
【発明の詳細な説明】
【技術分野】
【０００１】
関連出願
本願は、２０１２年５月３１日に出願された、「外部ペーシングを有する非侵襲性の携帯型医療モニタリングおよび治療装置」（NONINVASIVE AMBULATORY MONITORING AND TREATMENT DEVICE WITH EXTERNAL PACING）と題された米国仮出願連続番号第６１／６５３，
８８９号の、米国特許法第１１９（ｅ）条による優先権を主張する。当該仮出願は、本願によりその全体がここに引用により援用される。
【０００２】
１．  技術分野
この発明は非侵襲性の携帯型医療装置に向けられ、より特定的には、装置を着用している患者の心臓のペースを外部から調整する（外部ペーシングする）ことができる、非侵襲性の医療モニタリングおよび治療装置に向けられている。
【背景技術】
【０００３】
２．  関連技術の説明
心拍停止および他の心臓の健康疾患は、世界的に主な死因となっている。被害者の命を救おうとして、さまざまな蘇生努力が、心拍停止中に身体の循環器系および呼吸器系を維持することを目的としている。これらの蘇生努力が早く始まるほど、被害者の生存の見込みは高くなる。
【０００４】
心拍停止および他の心臓の健康疾患から守られるために、危険な状態にある患者は、マサチューセッツ州チェルムズフォード（Chelmsford）のゾール  メディカル  コーポレイション（Zoll Medical Corporation）から入手可能である着用可能な電気的除細動器であるライフベスト（LifeVest）（登録商標）といった着用可能な除細動器を使用してもよい。守られたままとなるために、患者は、通常の日常活動に携わっている間は、起きている間も、および眠っている間も、装置をほぼ連続的に着用する。
【発明の概要】
【課題を解決するための手段】
【０００５】
発明の概要
この発明のいくつかの局面および実施形態は、非侵襲性の、身体に取付けられる、携帯型医療モニタリングおよび治療装置（以下、「医療モニタリングおよび治療装置」と呼ぶ）を使用して、心臓に外部ペーシングを施す。ここに使用されるように、「非侵襲性」という用語は、装置が患者の身体に侵入しないことを意味する。これは、装置の少なくとも一部が皮下に配置される、埋込み可能な医療装置といった侵襲性装置とは対照的である。「身体に取付けられる」という用語は、装置の少なくとも一部（除細動器、電気除細動器またはペースメーカーの場合には、その電極を除く）が、機械的結合（たとえば、手首ストラップ、頚部カラー、二頭筋リングによって）、接着（たとえば、接着ゲル媒介物によって）、吸引、磁力、織物または他の柔軟な材料（たとえば、ストラップ、または衣服への一体化によって）、もしくは前述の例によって限定されない他の身体搭載構成などによって、患者の身体に取外し可能に取付けられることを意味する。これらの結合要素は、装置を、患者の身体に対して実質的に固定された位置に保持する。「携帯型」という用語は、患者が日常活動に携わる際に、装置が患者とともに移動可能であり、移動するために設計されている、ということを意味する。
【０００６】
医療モニタリングおよび治療装置の一例は、マサチューセッツ州チェルムズフォードのゾール  メディカル  コーポレイションから入手可能である着用可能な電気的除細動器で
あるライフベスト（登録商標）である。医療モニタリングおよび治療装置は、心室細動（Ventricular Fibrillation：ＶＦ）または心室頻拍（Ventricular Tachycardia：ＶＴ）
といった治療可能な形の心不整脈を患っている患者に、救命除細動治療を提供することができる。出願人は、そのような医療モニタリングおよび治療装置が、徐脈、頻脈、不規則な心臓律動、および心停止（ショック後の心停止を含む）といった多種多様の異なる心不整脈を治療するために、さまざまな異なるタイプの心臓ペーシングを行なうように構成可能であることを認識した。出願人はまた、他の実施形態では、医療モニタリングおよび治療装置が、無脈性電気活動を治療するためにペーシングを行なうように構成可能であることを認識した。この発明の一局面によれば、医療モニタリングおよび治療装置は、固定エネルギーレベル（たとえば、固定電流、固定電圧など）およびパルスレートで患者の心臓をペーシングするように構成可能であり、または、患者の心臓の検出された固有の活動レベルに応答して、固定エネルギーレベルおよび調節可能レートでオンデマンドで患者の心臓をペーシングするように構成可能であり、または、患者の心臓の検出された固有のレート、およびペーシングに対する患者の心臓の検出された反応に応答して、調節可能エネルギーレベルおよび調節可能レートで捕捉管理を使用して患者の心臓をペーシングするように構成可能であり、各心拍ベースの分析の場合、および他のさまざまな時間間隔にわたって分析される場合の双方を含む。
【０００７】
いくつかの実施形態によれば、医療モニタリングおよび治療装置が提供される。医療モニタリングおよび治療装置は、バッテリーと、バッテリーに結合された少なくとも１つの治療電極と、患者の心臓活動を示す情報を格納するメモリと、メモリおよび少なくとも１つの治療電極に結合された少なくとも１つのプロセッサとを含む。少なくとも１つのプロセッサは、情報内の心不整脈を識別し、識別された心不整脈を治療するために少なくとも１つのペーシングルーチンを実行するように構成されている。
【０００８】
医療モニタリングおよび治療装置では、少なくとも１つのプロセッサが識別するように構成されている心不整脈は徐脈を含んでいてもよく、少なくとも１つのペーシングルーチンは、心拍を検出することなく第１の間隔が経過したと判断し、第１の間隔が経過したと判断したことに応答して、少なくとも１つの治療電極を介してペーシングパルスを印加するように構成されてもよい。第１の間隔は、ベースペーシングレートおよびヒステリシスレートによって規定されてもよい。少なくとも１つのペーシングルーチンはさらに、第２の間隔の経過に先立って固有心拍を検出し、ベースペーシングレートと、ヒステリシスレートと、固有心拍が検出された点とに基づいて、第３の間隔を判断し、第３の間隔内で別の固有心拍が生じるかどうか判断するように構成されてもよい。
【０００９】
医療モニタリングおよび治療装置では、少なくとも１つのプロセッサが識別するように構成されている心不整脈は頻脈を含んでいてもよく、少なくとも１つのペーシングルーチンは、第１の間隔の経過に先立って複数の固有心拍を検出するように構成されてもよく、複数の固有心拍は固有周波数を有し、第１の間隔は抗頻脈性不整脈ペーシングレートによって規定され、少なくとも１つのペーシングルーチンはさらに、固有周波数を検出したことに応答して、少なくとも１つの治療電極を介して一連のペーシングパルスを印加するように構成されてもよく、一連のペーシングパルスは、固有周波数を上回る周波数を有する。少なくとも１つのペーシングルーチンはさらに、一連のペーシングパルスを印加した後で、第２の間隔内で別の複数の固有心拍が生じるかどうか検出するように構成されてもよく、第２の間隔は抗頻脈性不整脈ペーシングレートによって規定される。
【００１０】
医療モニタリングおよび治療装置では、少なくとも１つのプロセッサが識別するように構成されている心不整脈は不規則な心拍数を含んでいてもよく、少なくとも１つのペーシングルーチンは、情報内のより低い周波数を有する第１の一連の心拍を識別し、情報内のより高い周波数の第２の一連の心拍を識別し、不規則な心拍数を識別したことに応答して
、少なくとも１つの治療電極を介して一連のペーシングパルスを印加するように構成されてもよく、一連のペーシングパルスは、より低い周波数を上回り、かつより高い周波数を下回る周波数を有する。
【００１１】
医療モニタリングおよび治療装置では、少なくとも１つのプロセッサが識別するように構成されている心不整脈は、心停止および無脈性電気活動のうちの少なくとも１つを含んでいてもよく、少なくとも１つのペーシングルーチンは、心拍を検出することなく第１の間隔が経過したと判断し、第１の間隔が経過したと判断したことに応答して、少なくとも１つの治療電極を介してペーシングパルスを印加するように構成されてもよい。少なくとも１つのペーシングルーチンはさらに、ペーシングパルスを印加する前に除細動ショックを印加するように構成されてもよい。
【００１２】
医療モニタリングおよび治療装置では、少なくとも１つのペーシングルーチンはさらに、少なくとも１つのペーシングルーチンが捕捉をもたらしたかどうか判断し、捕捉がもたらされなかったと判断したことに応答して、少なくとも１つのペーシングルーチンのその後の実行中に印加されるペーシングパルスの特性を調節するように構成されてもよい。調節されるペーシングパルスの特性は、パルスエネルギーレベル、パルスレート、およびパルス幅を含んでいてもよい。
【００１３】
医療モニタリングおよび治療装置では、少なくとも１つのペーシングルーチンはさらに、少なくとも１つのペーシングルーチンが捕捉をもたらしたかどうか判断し、捕捉がもたらされたと判断したことに応答して、少なくとも１つのペーシングルーチンのその後の実行中に印加されるペーシングパルスの特性を調節するように構成されている。
【００１４】
他の実施形態によれば、非侵襲性の、身体に取付けられる、着用可能な携帯型除細動器が提供される。非侵襲性の、身体に取付けられる、着用可能な携帯型除細動器は、バッテリーと、バッテリーに結合された少なくとも１つの治療電極と、患者の心臓活動を示す情報を格納するメモリと、メモリおよび少なくとも１つの治療電極に結合された少なくとも１つのプロセッサとを含む。少なくとも１つのプロセッサは、情報内の心不整脈を識別し、識別された心不整脈を治療するために少なくとも１つのペーシングルーチンを実行するように構成されている。
【００１５】
非侵襲性の、身体に取付けられる、携帯型除細動器では、少なくとも１つのプロセッサが識別するように構成されている心不整脈は徐脈を含んでいてもよく、少なくとも１つのペーシングルーチンは、心拍を検出することなく第１の間隔が経過したと判断し、第１の間隔が経過したと判断したことに応答して、少なくとも１つの治療電極を介してペーシングパルスを印加するように構成されてもよい。第１の間隔は、ベースペーシングレートおよびヒステリシスレートによって規定されてもよい。少なくとも１つのペーシングルーチンはさらに、第２の間隔の経過に先立って固有心拍を検出し、ベースペーシングレートと、ヒステリシスレートと、固有心拍が検出された点とに基づいて、第３の間隔を判断し、第３の間隔内で別の固有心拍が生じるかどうか判断するように構成されてもよい。
【００１６】
非侵襲性の、身体に取付けられる、携帯型除細動器では、少なくとも１つのプロセッサが識別するように構成されている心不整脈は頻脈を含んでいてもよく、少なくとも１つのペーシングルーチンは、第１の間隔の経過に先立って複数の固有心拍を検出するように構成されてもよく、複数の固有心拍は固有周波数を有し、第１の間隔は抗頻脈性不整脈ペーシングレートによって規定され、少なくとも１つのペーシングルーチンはさらに、固有周波数を検出したことに応答して、少なくとも１つの治療電極を介して一連のペーシングパルスを印加するように構成されてもよく、一連のペーシングパルスは、固有周波数を上回る周波数を有する。少なくとも１つのペーシングルーチンはさらに、一連のペーシングパ
ルスを印加した後で、第２の間隔内で別の複数の固有心拍が生じるかどうか検出するように構成されてもよく、第２の間隔は抗頻脈性不整脈ペーシングレートによって規定される。
【００１７】
非侵襲性の、身体に取付けられる、携帯型除細動器では、少なくとも１つのプロセッサが識別するように構成されている心不整脈は不規則な心拍数を含んでいてもよく、少なくとも１つのペーシングルーチンは、情報内のより低い周波数を有する第１の一連の心拍を識別し、情報内のより高い周波数の第２の一連の心拍を識別し、不規則な心拍数を識別したことに応答して、少なくとも１つの治療電極を介して一連のペーシングパルスを印加するように構成されてもよく、一連のペーシングパルスは、より低い周波数を上回り、かつより高い周波数を下回る周波数を有する。
【００１８】
非侵襲性の、身体に取付けられる、携帯型除細動器では、少なくとも１つのプロセッサが識別するように構成されている心不整脈は、心停止および無脈性電気活動のうちの少なくとも１つを含んでいてもよく、少なくとも１つのペーシングルーチンは、心拍を検出することなく第１の間隔が経過したと判断し、第１の間隔が経過したと判断したことに応答して、少なくとも１つの治療電極を介してペーシングパルスを印加するように構成されてもよい。少なくとも１つのペーシングルーチンはさらに、ペーシングパルスを印加する前に除細動ショックを印加するように構成されてもよい。
【００１９】
非侵襲性の、身体に取付けられる、携帯型除細動器では、少なくとも１つのペーシングルーチンはさらに、少なくとも１つのペーシングルーチンが捕捉をもたらしたかどうか判断し、捕捉がもたらされなかったと判断したことに応答して、少なくとも１つのペーシングルーチンのその後の実行中に印加されるペーシングパルスの特性を調節するように構成されてもよい。調節されるペーシングパルスの特性は、パルスエネルギーレベル、パルスレート、およびパルス幅を含んでいてもよい。
【００２０】
非侵襲性の、身体に取付けられる、携帯型除細動器では、少なくとも１つのペーシングルーチンはさらに、少なくとも１つのペーシングルーチンが捕捉をもたらしたかどうか判断し、捕捉がもたらされたと判断したことに応答して、少なくとも１つのペーシングルーチンのその後の実行中に印加されるペーシングパルスの特性を調節するように構成されてもよい。
【００２１】
別の実施形態によれば、ペーシングを有する医療モニタリングおよび治療装置を使用して、心機能障害を治療する方法が提供される。医療モニタリングおよび治療装置は、非侵襲性の、身体に取付けられる、携帯型除細動器を含んでいてもよい。この方法は、医療モニタリングおよび治療装置によって、患者の心臓活動を示す情報内の心不整脈を識別する行為と、医療モニタリングおよび治療装置によって、識別された心不整脈を治療するために少なくとも１つのペーシングルーチンを実行する行為とを含む。
【００２２】
この方法では、心不整脈が徐脈を含む場合、少なくとも１つのペーシングルーチンを実行する行為は、心拍を検出することなく第１の間隔が経過したと判断する行為と、第１の間隔が経過したと判断したことに応答して、少なくとも１つの治療電極を介してペーシングパルスを印加する行為とを含んでいてもよい。第１の間隔が経過したと判断する行為は、ベースペーシングレートおよびヒステリシスレートを使用して第１の間隔を規定する行為を含んでいてもよい。少なくとも１つのペーシングルーチンを実行する行為は、第２の間隔の経過に先立って固有心拍を検出する行為と、ベースペーシングレートと、ヒステリシスレートと、固有心拍が検出された点とに基づいて、第３の間隔を判断する行為と、第３の間隔内で別の固有心拍が生じるかどうか判断する行為とを含んでいてもよい。
【００２３】
この方法では、心不整脈が頻脈を含む場合、少なくとも１つのペーシングルーチンを実行する行為は、第１の間隔の経過に先立って複数の固有心拍を検出する行為を含んでいてもよく、複数の固有心拍は固有周波数を有し、第１の間隔は抗頻脈性不整脈ペーシングレートによって規定され、少なくとも１つのペーシングルーチンを実行する行為はさらに、固有周波数を検出したことに応答して、少なくとも１つの治療電極を介して一連のペーシングパルスを印加する行為を含んでいてもよく、一連のペーシングパルスは、固有周波数を上回る周波数を有する。
【００２４】
この方法では、心不整脈が不規則な心拍数を含む場合、少なくとも１つのペーシングルーチンを実行する行為は、情報内のより低い周波数を有する第１の一連の心拍を識別する行為と、情報内のより高い周波数の第２の一連の心拍を識別する行為と、不規則な心拍数を識別したことに応答して、少なくとも１つの治療電極を介して一連のペーシングパルスを印加する行為とを含んでいてもよく、一連のペーシングパルスは、より低い周波数を上回り、かつより高い周波数を下回る周波数を有する。
【００２５】
この方法では、心不整脈が心停止および無脈性電気活動のうちの少なくとも１つを含む場合、少なくとも１つのペーシングルーチンを実行する行為は、心拍を検出することなく第１の間隔が経過したと判断する行為と、第１の間隔が経過したと判断したことに応答して、少なくとも１つの治療電極を介してペーシングパルスを印加する行為とを含んでいてもよい。少なくとも１つのペーシングルーチンを実行する行為は、ペーシングパルスを印加する前に除細動ショックを印加する行為を含んでいてもよい。
【００２６】
この方法では、少なくとも１つのペーシングルーチンを実行する行為は、少なくとも１つのペーシングルーチンが成功した捕捉をもたらしたかどうか判断する行為と、捕捉がもたらされなかったと判断したことに応答して、少なくとも１つのペーシングルーチンのその後の実行中に印加されるペーシングパルスの特性を調節する行為とを含んでいてもよい。特性を調節する行為は、パルスエネルギーレベル、パルスレート、およびパルス幅のうちの少なくとも１つを調節する行為を含んでいてもよい。
【００２７】
さらに他の局面、実施形態、ならびにこれらの例示的な局面および実施形態の利点を、以下に詳細に説明する。また、前述の情報および以下の詳細な説明は双方とも、この発明のさまざまな局面および実施形態の例示的な例に過ぎず、請求される局面ならびに実施形態の性質および特徴を理解するための概要または枠組を提供するよう意図されている、ということが理解されるべきである。ここに開示されるどの実施形態も、ここに開示される局面のうちの少なくとも１つと一致する態様で、任意の他の実施形態と組合されてもよく、また、「ある実施形態」、「いくつかの実施形態」、「代替的な実施形態」、「さまざまな実施形態」、「一実施形態」、「少なくとも１つの実施形態」、「このおよび他の実施形態」などへの言及は必ずしも相互排他的ではなく、その実施形態に関連して説明された特定の特徴、構造または特性が、少なくとも１つの実施形態に含まれ得ることを示すよう意図されている。そのような用語のここでの出現は、必ずしもすべて同じ実施形態に言及しているとは限らない。
【００２８】
さらに、この文書とここに引用により援用された文献とで用語の使用が一致していない場合、援用された文献での用語の使用は、この文書での用語の使用を補足するものであり、矛盾する不一致については、この文書での用語の使用が支配する。加えて、添付図面は、さまざまな局面ならびに実施形態の例示およびさらなる理解を提供するために含まれており、この明細書に援用されてこの明細書の一部を構成する。図面は、明細書の残りとともに、説明され請求される局面ならびに実施形態の原理および動作を説明する役割を果たす。
【００２９】
図面の簡単な説明
添付図面は、縮尺通りに描かれているよう意図されてはいない。図面では、さまざまな図に示される同一またはほぼ同一の構成要素は各々、同じ符号によって表わされる。明瞭性のために、すべての図面ですべての構成要素に符号が標記されているとは限らない。
【図面の簡単な説明】
【００３０】
【図１】着用可能な除細動器といった医療モニタリングおよび治療装置を示す図である。
【図２】図１の医療モニタリングおよび治療装置で使用され得る携帯用治療コントローラの一例の機能ブロック図である。
【図３】４０ｍｓの定電流パルスを含む、医療モニタリングおよび治療装置によって提供され得る複数の異なるペーシング波形を示す図である。
【図４】オンデマンドペーシングまたは捕捉管理ペーシングに関連して調節可能であるデマンドペーシングのさまざまな局面を示す図である。
【発明を実施するための形態】
【００３１】
詳細な説明
この発明は、その用途が、以下の説明で述べられ、または図面に示された構成要素の構成および配置の詳細に限定されない。この発明は他の実施形態が可能であり、さまざまなやり方で実践または実行可能である。また、ここに使用される語法および用語は説明のためのものであり、限定的であるよう見なされるべきでない。ここでの「を含む」、「を備える」、「を有する」、「を含有する」、「を伴う」、およびそれらの変形の使用は、その後に列挙される項目、およびそれらの等価物、ならびに追加の項目を包含するよう意図されている。
【００３２】
図１は、マサチューセッツ州チェルムズフォードのゾール  メディカル  コーポレイションから入手可能である着用可能な電気的除細動器であるライフベスト（登録商標）といった医療モニタリングおよび治療装置を示す。図示されているように、医療モニタリングおよび治療装置１００は、１対のショルダーストラップと、患者の胴の周りで着用されるベルトとを有する、ハーネス１１０を含む。ハーネス１１０は典型的には、綿、ナイロン、スパンデックス、またはアントロン（antron）（登録商標）といた通気性のある材料から作られており、長期間の間着用された場合でさえ皮膚炎症を引き起こす可能性が低い。医療モニタリングおよび治療装置１００は複数の心電図（electrocardiographic ：ＥＣ
Ｇ）検知電極１１２を含み、それらは、ハーネス１１０によって患者の身体の周りのさまざまな位置に配置され、接続ポッド１３０を介して携帯用治療コントローラ１２０に（無線でまたは有線接続によって）電気的に結合されている。複数のＥＣＧ検知電極１１２は、患者の心臓機能をモニタリングするために携帯用治療コントローラ１２０によって使用され、通常、前後で対になったＥＣＧ検知電極と、左右で対になったＥＣＧ検知電極とを含む。追加のＥＣＧ検知電極が提供されてもよいこと、および、複数のＥＣＧ検知電極１１２は患者の身体の周りのさまざまな位置に配置されてもよいことが、認識されるべきである。加えて、複数のＥＣＧ電極１１２は、従来の貼付け式の接着電極、乾式検知容量性ＥＣＧ電極、放射線透過性電極、セグメント化された電極、または、長期間（たとえば３日以上）の間、患者によって連続的に着用されるように構成された１つ以上の長期着用される電極を含む、いかなる電極システムを組込んでいてもよい。そのような長期着用される電極の一例は、本願によりその全体がここに引用により援用される、２０１２年５月３１日に出願された、「長期着用される多機能の生体用電極」（LONG TERM WEAR MULTIFUNCTION BIOMEDICAL ELECTRODE）と題された同時係属中の出願連続番号第６１／６５３，７
４９号に記載されている。
【００３３】
ここに開示された医療モニタリングおよび治療装置は、患者の身体との適切なフィット
性を維持するために、さまざまな構成で配置されたいろいろな材料を取入れていてもよい。たとえば、いくつかの実施形態は、本願によりその全体がここに引用により援用される、２０１２年４月３０日に出願された、「患者によって着用されるエネルギー送出装置およびそれをサイズ調節するための手法」（PATIENT-WORN ENERGY DELIVERY APPARATUS AND
TECHNIQUES FOR SIZING SAME）と題された同時係属中の出願連続番号第１３／４６０，
２５０号に記載されたような衣服を含む。このため、実施形態は、図１を参照して上述した構成および材料に限定されない。
【００３４】
医療モニタリングおよび治療装置１００は複数の治療電極１１４も含み、それらは、接続ポッド１３０を介して携帯用治療コントローラ１２０に電気的に結合されており、１回以上の治療用除細動ショックを、そのような治療が必要とされると判断された場合に患者の身体に送出できる。図示されているように、複数の治療電極１１４は、患者の胴の前部に配置された第１の治療電極１１４ａと、患者の胴の後部に配置された第２の治療電極１１４ｂとを含む。第２の治療電極１１４ｂは、電気的にともに結合されて第２の治療電極１１４ｂとして作用する１対の治療電極を含む。２つの治療電極１１４ａ、１１４ｂの使用は、２つの治療電極のうちの一方が二相性ショックの第１相を送出しつつ他方の治療電極がリターンとして作用し、他方の治療電極が二相性ショックの第２相を送出しつつ一方の治療電極がリターンとして作用することができるように、二相性ショックが患者の身体に送出されることを可能にする。接続ポッド１３０は、複数のＥＣＧ検知電極１１２および複数の治療電極１１４を携帯用治療コントローラ１２０に電気的に結合しており、また、電子回路を含んでいてもよい。たとえば、一実現化例では、接続ポッド１３０は、複数のＥＣＧ検知電極１１２のうちのそれぞれからＥＣＧ信号を受信し、それらの間の差に基づいて差分ＥＣＧ信号を携帯用治療コントローラ１２０に提供するための複数の差動増幅器といった信号取得回路を含む。接続ポッド１３０はまた、患者の活動をモニタリングし得る運動センサまたは加速度計といった他の電子回路を含んでいてもよい。
【００３５】
いくつかの実施形態では、第１の治療電極１１４ａおよび第２の治療電極１１４ｂは双方とも、患者の胴の前部に配置される。たとえば、第１の治療電極１１４ａは心臓尖部の外部に位置し、第２の治療電極１１４ｂは胸骨傍線に沿って位置していてもよい。このため、実施形態は、治療電極１１４の或る特定の配置に限定されない。
【００３６】
いくつかの実施形態では、複数のＥＣＧ検知電極１１２は、電気活動から生じるアーティファクトが減少するように位置付けられ、対になっている。他の実施形態では、携帯用治療コントローラ１２０に含まれる電子回路が、ゲインまたはインピーダンスを変更することによって、電極で測定されるアーティファクトを等しくしてもよい。ここに開示された実施形態とともに使用され得る、測定された電気活動内のアーティファクトを減少させ、または防止する他の手法は、その全体がここに引用により援用される、２０１２年５月２２日に発行された、「外部電気刺激中の生理学的信号のモニタリング」（MONITORING PHYSIOLOGICAL SIGNALS DURING EXTERNAL ELECTRICAL STIMULATION）と題された米国特許
第８，１８５，１９９号で説明されている。
【００３７】
図１に示すように、医療モニタリングおよび治療装置１００は、携帯用治療コントローラ１２０に電気的に結合されたユーザインターフェイスポッド１４０も含んでいてもよい。ユーザインターフェイスポッド１４０は、たとえば、インターフェイスポッド１４０の一部に取付けられたクリップ（図示せず）を介して、患者の衣類に、またはハーネス１１０に取付け可能である。また、これに代えて、ユーザインターフェイスポッド１４０は単に、人の手に保持されてもよい。ユーザインターフェイスポッド１４０は典型的には、患者または居合わせた人が携帯用治療コントローラ１２０と通信できるようにする、１つ以上の作用可能なユーザインターフェイス要素（たとえば、１つ以上のボタン、指紋スキャナー、タッチスクリーン、マイクロホンなど）と、携帯用治療コントローラ１２０が患者
または居合わせた人と通信できるようにするスピーカーとを含む。着用可能な電気的除細動器であるライフベスト（登録商標）の或るモデルでは、ユーザインターフェイスポッド１４０の機能性は、携帯用治療コントローラ１２０に組込まれている。
【００３８】
患者が心不整脈を患っていると携帯用治療コントローラ１２０が判断した場合、携帯用治療コントローラ１２０は、携帯用治療コントローラ１２０および／またはユーザインターフェイスポッド１４０上のラウドスピーカー（図示せず）を介して、患者および居合わせた人々に患者の症状について警告する可聴アラームを発行してもよい。携帯用治療コントローラ１２０によって発行される通知の例は、その全体がここに引用により援用される、２０１２年３月２３日に出願された、「着用可能な医療装置においてアラームを適合させるためのシステムおよび方法」（SYSTEM AND METHOD FOR ADAPTING ALARMS IN A WEARABLE MEDICAL DEVICE）と題された同時係属中の出願連続番号第１３／４２８，７０３号に記載されている。携帯用治療コントローラ１２０はまた、患者に、自分に意識があることを示すために、携帯用治療コントローラ１２０上の、またはユーザインターフェイスポッド１４０上の１つ以上のボタンを押したままにするように命令し、それにより、携帯用治療コントローラ１２０に、１回以上の治療用除細動ショックの送出を保留するように命令してもよい。患者が反応しない場合、装置は、患者に意識がないと推測し、治療シーケンスを進めて、患者の身体への１回以上の除細動ショックの送出をもたらしてもよい。
【００３９】
携帯用治療コントローラ１２０は一般に、テキサス・インスツルメンツ（Texas Instruments）、インテル（Intel）、ＡＭＤ、サン（Sun）、ＩＢＭ、モトローラ（Motorola）
、フリースケール（Freescale）およびＡＲＭホールディングス（ARM Holdings）などの
企業から商業的に入手可能なプロセッサといった、少なくとも１つのプロセッサ、マイクロプロセッサ、またはコントローラを含む。一実現化例では、少なくとも１つのプロセッサは、インテル（登録商標）ＰＸＡ２７０プロセッサなどの汎用プロセッサと、フリースケール（商標）ＤＳＰ５６３１１デジタル信号プロセッサなどの専用プロセッサとを含む節電プロセッサ構成を含む。そのような節電プロセッサ構成は、その全体がここに引用により援用される、２０１０年７月９日に出願された、「医療装置において節電するためのシステムおよび方法」（SYSTEM AND METHOD FOR CONSERVING POWER IN A MEDICAL DEVICE）と題された同時係属中の出願連続番号第１２／８３３，０９６号（以下、「’０９６出願」）に記載されている。携帯用治療コントローラ１２０の少なくとも１つのプロセッサは、患者の症状をモニタリングし、医療データロギングおよび格納を行ない、心不整脈などの検出された症状に応じて患者に医療を提供するように構成されている。
【００４０】
図示されていないが、医療モニタリングおよび治療装置１００は、ＥＣＧ検知電極１１２以外に、患者の生理学的状態または活動をモニタリングできる追加のセンサを含んでいてもよい。たとえば、患者の血圧、心拍数、心音、胸郭インピーダンス、脈酸素レベル、呼吸数、および活動レベルを測定可能なセンサも提供されてもよい。
【００４１】
図２は、異常がないか生理学的情報をモニタリングし、検出された異常の治療を始めるという重要な機能を行なうように構成された携帯用治療コントローラ１２０を示す。図示されているように、携帯用治療コントローラ１２０は、’０９６出願に記載された節電プロセッサ構成２００と、センサインターフェイス２１２と、治療送出インターフェイス２０２と、データストレージ２０４と、通信ネットワークインターフェイス２０６と、ユーザインターフェイス２０８と、バッテリー２１０とを含んでいてもよい。この図示された例では、バッテリー２１０は、充電と充電との間に最小２４時間のランタイムで他の装置コンポーネントに電力を提供する、再充電可能な３セル２２００ｍＡｈリチウムイオン電池パックである。そのようなバッテリー２１０は、１つ以上の治療用ショックを施すのに十分な容量を有しており、治療送出インターフェイス２０２は、負荷を治療電極１１４に運ぶのに好適な配線を有する。さらに、図示された例では、バッテリー２１０は、バッテ
リーランタイムの満了時でさえ、最大で５回またはそれを上回る治療用ショックを送出するのに十分な容量を有している。１回の除細動ショック中に患者に送出可能な電力量は、実質的には、たとえば最大でおよそ２００ジュールである。
【００４２】
センサインターフェイス２１２および治療送出インターフェイス２０２は、’０９６出願に記載されたような節電プロセッサ構成２００に、より特定的には節電プロセッサ構成２００の専用プロセッサに結合されている。データストレージ２０４、ネットワークインターフェイス２０６、およびユーザインターフェイス２０８も、同様に’０９６出願に記載されたような節電プロセッサ構成２００に、より特定的には節電プロセッサ構成の汎用プロセッサに結合されている。
【００４３】
図示された例では、データストレージ２０４は、非一時的な命令および他のデータを格納するように構成された、コンピュータ読取可能および書込可能な不揮発性データ記憶媒体を含む。この媒体は、たとえば、とりわけ光ディスク、磁気ディスクまたはフラッシュメモリであってもよく、永続的に携帯用治療コントローラ１２０に取付けられ、またはそれから取り外されてもよい。
【００４４】
図２に示すように、携帯用治療コントローラ１２０は、いくつかのシステムインターフェイスコンポーネント２０２、２０６および２１２を含む。これらのシステムインターフェイスコンポーネントの各々は、携帯用治療コントローラ２００内に、または他の場所に位置し得る特殊装置と、データを交換する、すなわちデータを送受信するように構成されている。インターフェイス２０２、２０６および２１２によって使用されるコンポーネントは、ハードウェアコンポーネント、ソフトウェアコンポーネント、またはそれらの組合せを含んでいてもよい。各インターフェイスの事例では、これらのコンポーネントは、携帯用治療コントローラ２００を１つ以上の特殊装置に物理的にかつ論理的に結合する。この物理的かつ論理的な結合は、携帯用治療コントローラ１２０が特殊装置と通信すること、および、いくつかの事例では特殊装置の動作を制御することを、両方とも可能にする。これらの特殊装置は、生理学的センサ、治療送出装置、およびコンピュータネットワーキング装置を含んでいてもよい。
【００４５】
さまざまな例によれば、インターフェイス２０２、２０６および２１２のハードウェアコンポーネントならびにソフトウェアコンポーネントは、さまざまな結合手法およびコミュニケーション手法を採用している。いくつかの例では、インターフェイス２０２、２０６および２１２は、携帯用治療コントローラ１２０と特殊装置との間でデータを交換する導管として、リード線、ケーブルまたは他の有線コネクタを使用する。他の例では、インターフェイス２０２、２０６および２１２は、無線周波数または赤外線技術といった無線技術を使用して特殊装置と通信する。インターフェイス２０２、２０６および２１２に含まれるソフトウェアコンポーネントは、節電プロセッサ構成２００が特殊装置と通信することを可能にする。これらのソフトウェアコンポーネントは、オブジェクト、実行可能コード、および取込まれたデータ構造といった要素を含んでいてもよい。これらのハードウェアコンポーネントおよびソフトウェアコンポーネントはともに、節電プロセッサ構成２００が特殊装置と情報を交換できるようにするためのインターフェイスを提供する。さらに、少なくともいくつかの例では、１つ以上の特殊装置がアナログ信号を使用して通信する場合、インターフェイス２０２、２０６および２１２は、アナログ情報をデジタル情報に変換する、およびその逆も同様に行なうように構成されたコンポーネントを含んでいてもよい。
【００４６】
上述のように、図２の例に示すシステムインターフェイスコンポーネント２０２、２０６および２１２は、異なるタイプの特殊装置をサポートする。たとえば、センサインターフェイス２１２のコンポーネントは、体温センサ、呼吸モニター、および乾式容量性ＥＣ
Ｇ検知電極といった１つ以上の生理学的センサに、節電プロセッサ構成２００を結合する。この発明はどの特定のタイプのＥＣＧ検知電極にも限定されていないため、他のタイプのＥＣＧ検知電極が使用されてもよい、ということが認識されるべきである。治療送出インターフェイス２０２のコンポーネントは、キャパシタおよび除細動器電極といった１つ以上の治療送出装置を、節電プロセッサ構成２００に結合する。加えて、ネットワークインターフェイス２０６のコンポーネントは、ブリッジ、ルーター、またはハブといったネットワーキング装置を介して、節電プロセッサ構成をコンピュータネットワークに結合する。ネットワークインターフェイス２０６は、さまざまな規格およびプロトコルをサポートしていてもよく、それらの例は、ＵＳＢ、ＴＣＰ／ＩＰ、イーサネット（登録商標）、無線イーサネット（登録商標）、Bluetooth（登録商標）、ジグビー（ZigBee）、Ｍ−バ
ス、ＩＰ、ＩＰＶ６、ＵＤＰ、ＤＴＮ、ＨＴＴＰ、ＦＴＰ、ＳＮＭＰ、ＣＤＭＡ、ＮＭＥＡ、およびＧＳＭ（登録商標）を含む。データ転送が安全であることを確実にするために、いくつかの例では、携帯用治療コントローラ２００は、たとえばＴＳＬ、ＳＳＬまたはＶＰＮを含むさまざまなセキュリティ対策を使用して、ネットワークインターフェイス２０６を介してデータを送信することができる。他の例では、ネットワークインターフェイス２０６は、無線通信用に構成された物理的インターフェイスと、有線通信用に構成された物理的インターフェイスとの双方を含む。
【００４７】
図２に示すユーザインターフェイス２０８は、携帯用治療コントローラ２００がユーザなどの外部エンティティと通信することを可能にする、ハードウェアコンポーネントとソフトウェアコンポーネントとの組合せを含む。これらのコンポーネントは、物体の動き、言葉のイントネーション、または思考過程などの行動から情報を受け取るるように構成されている。加えて、ユーザインターフェイス２０８のコンポーネントは、情報を外部エンティティに提供できる。ユーザインターフェイス２０８内で採用され得るコンポーネントの例は、キーボード、マウス装置、トラックボール、マイクロホン、電極、タッチスクリーン、印刷装置、ディスプレイスクリーン、およびスピーカーを含む。
【００４８】
着用可能な電気的除細動器であるライフベスト（登録商標）は、患者のＥＣＧ信号をモニタリングし、さまざまな心不整脈を検出し、心室細動（ＶＦ）または心室頻拍（ＶＴ）といった治療可能な形の心不整脈を患っている患者に、救命除細動治療を提供することができる。
【００４９】
出願人は、そのような医療モニタリングおよび治療装置が、徐脈、頻脈、不規則な心臓律動、または心停止といった多種多様の異なる心不整脈を治療するために、さまざまな異なるタイプの心臓ペーシングを行なうように構成可能であることを認識した。出願人はまた、他の実施形態では、医療モニタリングおよび治療装置が、無脈性電気活動を治療するためにペーシングを行なうように構成可能であることを認識した。この発明の一局面によれば、この装置は、固定エネルギーレベルおよびパルスレートで患者の心臓をペーシングするように構成可能であり、または、患者の心臓の検出された固有の活動レベルに応答して、固定エネルギーレベルおよび調節可能レートでオンデマンドで患者の心臓をペーシングするように構成可能であり、または、患者の心臓の検出された固有の活動レベル、および患者の心臓の検出された反応に応答して、調節可能エネルギーレベルおよびレートで捕捉管理を使用して患者の心臓をペーシングするように構成可能である。治療電極１１４ａ、１１４ｂ（図１）のうちの１つ以上によって、さまざまなタイプのペーシングが外部から患者に適用されてもよい。着用可能な電気的除細動器であるライフベスト（登録商標）といった医療モニタリングおよび治療装置によって実行可能なさまざまなタイプのペーシングは、固定レートおよびエネルギーでの非同期ペーシングと、可変レートおよび固定エネルギーでのオンデマンドペーシングと、調節可能レートおよび調節可能エネルギーレベルでの捕捉管理ペーシングとを含んでいてもよい。
【００５０】
いくつかの実施形態では、医療モニタリングおよび治療装置は、ペーシング動作中、患者の不快感のレベルを周期的に評価するように構成されている。これらの実施形態では、患者の不快感レベルがしきい値を超えたと判断したことに応答して、装置は、患者が体験する不快感を減少させるようにペーシング活動の属性を調節しようとする。
【００５１】
一実施形態では、医療モニタリングおよび治療装置は、患者が体験する不快感レベルを示す情報を装置が受信するためのユーザインターフェイスを提供する。この情報が、不快感のレベルがしきい値レベルを超えたことを示す場合、装置は、不快感のレベルを減少させようとして、ペーシング動作の特性を調節する。
【００５２】
別の実施形態では、医療モニタリングおよび治療装置は、ペーシングパルスを施す前、最中、および後に患者の動きをモニタリングおよび記録することによって、患者の不快感のレベルを評価する。装置は、たとえば１つ以上の加速器、音声センサなどを含むさまざまな器具を使用して、患者の動きをモニタリングしてもよい。ペーシングパルス中に患者が体験する不快感のレベルを評価するために、装置は、患者の動きの記録された履歴を分析し、患者の動きの変化とペーシングパルスとの相関関係を識別してもよい。ペーシングパルスとフリンチを表わし得る患者の突然の動きとの強い相関関係、および、ペーシングパルスと動きの突然の停止との強い相関関係は、患者が不快感を体験していることを示す場合がある。しきい値を超える値を有する相関関係は、不快感を示すと考えられてもよく、装置にペーシングパルスの特性を調節させてもよい。
【００５３】
他の実施形態では、装置は、患者の不快感レベルを減少させるようにペーシング動作の特性を調節する。調節され得るペーシング動作の特性は、たとえば、ペーシングパルスのエネルギーレベル、ペーシングパルスの幅、およびペーシングパルスのレートを含む。いくつかの実施形態では、装置は、ペーシング動作がひき続き心臓機能を効果的に管理することを確実にするために、この調節プロセス中の患者の心臓の活動をモニタリングする。これらの実施形態では、ペーシング動作が無効になると、装置は、ペーシング動作の特性を以前の設定に戻してもよい。
【００５４】
１．  固定レートおよびエネルギーでのペーシング
この発明の一局面によれば、着用可能な電気的除細動器であるライフベスト（登録商標）といった医療モニタリングおよび治療装置は、さまざまなタイプの心不整脈に応じて、固定レートおよび固定エネルギーで患者の心臓をペーシングするように構成可能である。これらの心不整脈の例は、徐脈性不整脈、検知される心臓活動の欠如（特発性またはショック後心停止）、および無脈性電気活動を含む。場合によっては、これらの心不整脈は、１回以上の除細動ショックの前または後に生じるかもしれない。たとえば、装置は、ＥＣＧ検知電極１１２による上述の事象のうちのいずれかの検出に応答して、固定エネルギーレベル、固定パルス幅、および固定周波数でパルスを提供するように構成されてもよい。ペーシングパルスのエネルギーレベルは、定められた持続時間の間、治療電極１１４ａ、１１４ｂのうちの１つ以上によって所望の電流波形を印加することにより、固定値に設定されてもよい。電流波形の最大電流レベルは、およそ０ｍＡｍｐｓ〜２００ｍＡｍｐｓの間の値に設定されてもよく、パルス幅は、およそ０．０５ｍｓ〜２ｍｓの間の固定値に設定されてもよく、パルスの周波数は、およそ３０パルス／分（pulses per minute：ＰＰ
Ｍ）〜およそ２００ＰＰＭの間の固定値に設定されてもよい。一実施形態によれば、４０ｍｓの方形波パルスが使用される。４０ｍｓの定電流パルスと、５ｍｓの定電流パルスと、可変電流パルスとを含む例示的なペーシング電流波形を、図３に示す。
【００５５】
医療モニタリングおよび治療装置のペーシング動作中、装置は、正常洞調律が戻ったかどうか判断するためにＥＣＧ検知電極を介して患者を評価するために、周期的に或る期間の間休止してもよい。装置が正常洞調律を検出した場合、装置はペーシングパルスの印加
を中断し、単に、患者のＥＣＧ、温度、脈酸素レベルといった患者の生理学的信号のモニタリングを続けてもよい。
【００５６】
医療モニタリングおよび治療装置を最初に装着する間、電流のレベル、パルス幅、およびパルスの周波数は、（患者の心臓病専門医などの）医療専門家の入力と、（たとえば、患者の正常な安静時心拍数、患者の胸郭インピーダンスなどに基づいた）患者の生理学的症状とに基づいて、適切なレベルに設定されてもよい。また、これに代えて、電流のレベル、パルス幅、およびパルスの周波数は単に、大人用または子供用の典型的なインピーダンス値と、大人用または子供用の典型的な安静時心拍数とに基づいて、適切なレベルに設定されてもよい。
【００５７】
固定レートでのペーシングは患者自身の固有心拍数に干渉するかもしれないため、装置は、致命的な除脈性不整脈や、ショックに続く検出される心臓活動の欠如、またはショックに続く無脈性電気活動に応答してのみ、そのような固定レートおよびエネルギーでのペーシングを行なうように構成可能である、ということが認識されるべきである。
【００５８】
２．  デマンド（調節可能レート）ペーシング
この発明の一局面によれば、着用可能な電気的除細動器であるライフベスト（登録商標）といった医療モニタリングおよび治療装置はまた、徐脈性不整脈（すなわち、過度に遅い心拍数）、頻脈（すなわち、過度に速い心拍数）、認識可能な正常洞調律がない不規則な心拍数、検知される心臓活動の欠如（心停止）、および無脈性電気活動を含むさまざまなタイプの心不整脈に応じて、可変レートおよび固定エネルギーで患者の心臓をペーシングするように構成可能である。 これらの心不整脈のうちのいくつかは、１回以上の除細
動ショックに続いて起こるかもしれない。
【００５９】
当業者には公知であるように、固定レートおよびエネルギーでのペーシングは、特定のタイプの心不整脈の患者には適切ではないかもしれず、レートおよびエネルギーレベルが適切な場合であっても、固定レートでのペーシングは、ペーシングパルスが印加されているレートと患者の心臓の固有リズムとの間の競合をもたらす場合がある。たとえば、固定レートでのペーシングは、心室頻拍または心室細動を促進し得る、正常な心臓周期の相対不応期（Ｔ波に対するＲ波の効果の一種）中に、ペーシングパルスの印加をもたらすかもしれない。固定レートおよびエネルギーでのペーシングの欠点のうちのいくつかを克服するために、医療モニタリングおよび治療装置は、患者の生理学的状態に依存してペーシングパルスのレートが変更され得るデマンドペーシングを行なうように構成可能である。たとえば、デマンドペーシング中、装置は、患者によって必要とされる場合のみ、ペーシングパルスを送出できる。一般に、デマンドモードのペーシング中、装置は患者の固有の心臓活動を捜索し、指定された間隔内で心拍が検出されない場合、ペーシングパルスが送出され、タイマーが指定された間隔に設定される。患者の検出された固有の心臓活動なしで、指定された間隔が満了した場合、別のペーシングパルスが送出され、タイマーがリセットされる。また、これに代えて、指定された間隔内で患者の固有心拍が検出された場合、装置はタイマーをリセットし、固有の心臓活動をひき続き捜索する。
【００６０】
図４は、デマンドペーシングの局面のうちのいくつか、および、デマンドペーシングが医療モニタリングおよび治療装置によって実行され得る態様を示すのに役立つ。図４に示すように、装置は、ＥＣＧ検知電極１１２とＥＣＧモニタリングおよび検出回路とによって検出される任意の検出された固有の心臓活動がない場合にペーシングパルスが患者に送出されるレートに対応している、可変ペーシング間隔４１０を有していてもよい。たとえば、パルシングペースが患者に送出されるレート（ここに「ベースペーシングレート」と呼ぶ）は６０ＰＰＭに設定されてもよく、したがって、対応するベースペーシング間隔４１０は１秒に設定されるであろう。
【００６１】
医療モニタリングおよび治療装置はまた、患者の検出された固有心拍数に対応するヒステリシスレート（図４に図示せず）を有していてもよく、それ未満で装置はペーシングを実行する。いくつかの実施形態によれば、ヒステリシスレートは、患者の固有心拍数のパーセンテージとして表わされる、設定可能なパラメータである。上述の例では、ヒステリシスレートは毎分５０拍（beats per minute：ＢＰＭ）に対応していてもよい。この例では、患者の固有心拍数が５０ＢＰＭ以下に下がった場合（たとえば、検出された心拍間がおよそ１．２秒を上回る場合）、装置は、ペーシングインパルスを発生させて患者に印加するであろう。
【００６２】
患者の身体へのペーシングパルスの印加中、およびその後の短い時間の間、医療モニタリングおよび治療装置は、ＥＣＧモニタリングおよび検出回路（たとえば、増幅器、Ａ／Ｄ変換器など）がペーシングパルスによって圧倒される（たとえば、飽和される）ことを防止するために、この回路が受信しているＥＣＧ信号の一部を意図的にブランクアウトしてもよい。これは、ハードウェア、ソフトウェア、または双方の組合せで行なわれてもよい。ここに「ブランキング間隔」４２０と呼ばれるこの期間は（たとえば、およそ３０ｍｓ〜２００ｍｓの間で）変わり得るが、典型的には、持続時間がおよそ４０ｍｓ〜８０ｍｓである。
【００６３】
ブランキング間隔４２０に加えて、医療モニタリングおよび治療装置は、ベースペーシングレートに依存して変わり得る可変不応期４３０を有していてもよい。不応期４３０は、ＥＣＧ検知電極１１２とＥＣＧモニタリングおよび検出回路とによって検知された信号が無視される期間に対応しており、ブランキング間隔を含む。不応期４３０は、患者においてペーシングパルスによって誘発された任意の生成されたＱＲＳ群またはＴ波が無視され、患者の固有の心臓活動として解釈されないことを可能にする。たとえば、ベースペーシングレートが８０ＰＰＭ未満に設定される場合、不応期は３４０ｍｓに対応するかもしれず、およびベースペーシングレートが９０ＰＰＭよりも上に設定される場合、不応期は２４０ｍｓに対応するかもしれない。典型的な用途については、不応期は一般に、約１５０ｍｓ〜５００ｍｓである。
【００６４】
この発明の一局面によれば、医療モニタリングおよび治療装置によって行なわれるＥＣＧモニタリングおよび検出の感度も、ＥＣＧ検知電極と関連するＥＣＧモニタリングおよび検出回路とが患者の固有の心臓活動を検出できる程度を調節するために、変更されてもよい。たとえば、患者の固有のＥＣＧ信号の或る認識可能な部分（たとえばＲ波）の振幅が、典型的に遭遇されるもの未満である場合、患者の固有の心臓活動をより良好に検出するために、電圧しきい値（それを超えると、この認識可能な部分は、ＥＣＧ信号に属するとして（および、ノイズまたは他の要因に起因していないとして）検出され得る）が、たとえば２．５ｍＶから１．５ｍＶまで下げられてもよい。たとえば、医療モニタリングおよび治療装置を最初に装着する間、装置の感度しきい値は極小値（たとえば、０．４ｍＶ）まで下げられてもよく、患者の固有のＥＣＧ信号がモニタリングされてもよい。次に、感度しきい値を漸進的に増加させて（それにより装置の感度を減少させて）、患者の固有のＥＣＧ信号がもはや検知されなくなるまでこれらのＥＣＧ信号がモニタリングされてもよい。次に、患者の固有のＥＣＧ信号が再び検知されるまで感度しきい値を漸進的に減少させ（それにより装置の感度を増加させ）てもよく、装置の感度しきい値をこの値のおよそ半分に設定してもよい。
【００６５】
固定エネルギーおよびレートでのペーシングと同様に、装置は、ＥＣＧ検知電極１１２とＥＣＧモニタリングおよび検出回路とによる上述の事象のうちのいずれかの検出に応答して、固定エネルギーレベルおよび固定パルス幅でパルスを提供するように構成されてもよい。電流波形の最大電流レベルは、およそ１０ｍＡｍｐｓ〜２００ｍＡｍｐｓの間の値
に設定されてもよく、パルス幅は、およそ２０ｍｓ〜４０ｍｓの間の固定値に設定されてもよく、パルスのベースレートは、およそ３０パルス／分（ＰＰＭ）〜およそ２００ＰＰＭの間の固定値に設定されてもよいが、ペーシングパルスの実際のレートは、患者の固有の心臓活動に基づいて変わり得る。一実施形態によれば、４０ｍｓの定電流パルスが使用され、電流レベルは、患者の心臓病専門医などの医療専門家の入力と、患者の生理学的症状とに基づいて、固定値に設定される。ベースペーシングレートおよびヒステリシスレートも、患者の心臓病専門医（または他の医療専門家）の入力と、患者の生理学的症状とに基づいて設定されてもよく、ベースペーシングレートおよび／またはヒステリシスレートに基づいて、ブランキング間隔および不応期が適切な時間間隔に設定されてもよい。
【００６６】
ベースペーシングレートは、患者の生理学的症状と医療専門家からの入力とに基づいて、或る特定の値に設定されてもよいが、医療モニタリングおよび治療装置は、徐脈、頻脈、認識可能な正常洞調律がない不規則な心拍数、心停止、または無脈性電気活動といった異なる心不整脈に応じるために、複数の異なるペーシングルーチンを含んでいてもよい。これらのペーシングルーチンは、さまざまなハードウェアコンポーネントおよびソフトウェアコンポーネントを使用して実現されてもよく、実施形態は、ハードウェアまたはソフトウェアの或る特定の構成に限定されない。たとえば、ペーシングルーチンは、ここに説明される機能を行なうように適合された特定用途向け集積回路（application-specific integrated circuit：ＡＳＩＣ）を使用して実現されてもよい。
【００６７】
Ａ．  徐脈
上述のように、徐脈が検出され、かつ患者の固有心拍数がヒステリシスレートのもの未満である場合、医療モニタリングおよび治療装置は、予め設定されたベースペーシングレートで患者をペーシングするであろう。この時間の間、装置は患者の固有心拍数をモニタリングし続け、ヒステリシスレートに対応する指定された間隔内で固有心拍が検出された場合には、ペーシングパルスを保留するであろう。このタイプのオンデマンドペーシングはしばしば、「維持ペーシング」と呼ばれる。
【００６８】
Ｂ．  頻脈
頻脈に応じるために、医療モニタリングおよび治療装置はさらに、ここに「抗頻脈性不整脈ペーシングレート」と呼ばれる別のペーシングレートを含んでいてもよく、それを上回ると、装置は、患者が頻脈を患っていると識別し、患者の固有心拍をベースレーシングレートの方へ戻す態様で患者をペーシングするであろう。たとえば、装置は、患者の心拍数の制御を得ようとして、患者の固有レートを上回る周波数で一連のペーシングパルス（たとえば、約５〜１０回のペーシングパルス）を患者に送出する、オーバードライブペーシングとして公知の手法を採用してもよい。装置が患者の心拍数を制御していると一旦判断されれば、パルスのレート（すなわち周波数）がたとえば約１０ｍｓ減分されてもよく、別の一連のペーシングパルスが送出されてもよい。パルスのこの送出および周波数の減少は、患者の検出された固有心拍数が抗頻脈性不整脈ペーシングレート未満になるまで、またはベースペーシングレートになるまで、続いてもよい。このタイプのペーシングはしばしば、「オーバードライブペーシング」または「高速ペーシング」と呼ばれる。
【００６９】
Ｃ．  不規則な心拍数
不規則な心拍数に応じるために、医療モニタリングおよび治療装置は、上述の維持ペーシングとオーバードライブペーシングとの組合せと同様である一種のペーシングを行なってもよい。たとえば、医療モニタリングおよび治療装置が、認識可能な洞調律がない不規則な心拍数を検出した場合、装置は、或る特定の周波数で一連のペーシングパルス（たとえば、約５〜１０回のペーシングパルス）を患者に送出してもよい。この周波数は、患者の検出された一連の固有心拍のより低い周波数を上回り、かつ患者の検出された固有心拍のより高い周波数を下回るものであってもよい。一連のパルスの送出後、装置は患者の心
臓をモニタリングして、それが送出された一連のパルスのレートに同期したかどうか判断してもよい。患者の固有心拍が依然として不規則な場合、装置は、一連のパルスの周波数を増加させ、別の一連のパルスを送出してもよい。これは、患者の心臓が現在、より規則的な状態にあることが確立されるまで、続いてもよい。患者の心臓が現在、より規則的な状態にあると判断すると、装置は、上述の項目２Ａで説明されたように患者の固有心拍数が低すぎると判断された場合には維持ペーシングを行なってもよく、または、必要とされる場合には上述の項目２Ｂで説明された態様で減分されたレートでペーシングを行なってもよい。
【００７０】
Ｄ．  心停止または無脈性電気活動
心停止、または無脈性電気活動の検出された状態に応じるために、医療モニタリングおよび治療装置は、上述の項目２Ａで説明されたものと同様の維持ペーシングを行なってもよい。このタイプのペーシングは、患者の心臓に正常洞調律を回復させようとする一連の１回以上の除細動ショックの後に行なわれるであろう。
【００７１】
上述の各タイプのペーシングにおいて、医療モニタリングおよび治療装置は、そのような心不整脈が検出された後のプログラム可能な遅延の後にのみ、または、１回以上の除細動ショックが送出された後のプログラム可能な期間の後にのみ、或る特定のタイプのペーシングを行なうように構成されてもよい。
【００７２】
３．  捕捉管理
この発明の一局面によれば、着用可能な電気的除細動器であるライフベスト（登録商標）といった医療モニタリングおよび治療装置はまた、さまざまなタイプの心不整脈に応じて、調節可能エネルギーレベルおよび調節可能レートで捕捉管理を使用して患者の心臓をペーシングするように構成可能である。さまざまなタイプの心不整脈は、徐脈、頻脈、認識可能な正常洞調律がない不規則な心拍数、１回以上の除細動ショックに続く、またはそれらから独立した、検知された心臓活動の欠如（心停止）、１回以上の除細動ショックに続く致命的な除脈性不整脈、または１回以上の除細動ショックに続く無脈性電気活動を含み得る。
【００７３】
当業者には公知であるように、捕捉管理とは、ペーシングパルスのエネルギーレベルと、それらのペーシングパルスの送出レートとが、患者の心臓の検出された固有活動レベルと、それらのペーシングパルスに対する患者の心臓の検出された反応とに基づいて変更され得る一種のペーシングを指す。心臓ペーシングでは、「捕捉」という用語は、心室脱分極をもたらすエネルギーのパルスに対する患者の心臓の反応を指すために使用される。心臓ペーシングでは、各パルスにおけるエネルギー量を、捕捉に必要な最小量に限定し、それにより、外部ペーシングに関連する不快感の量を最小限に抑えることが望ましい。
【００７４】
一般に、医療モニタリングおよび治療装置が捕捉管理ペーシングを実行できる態様は、患者の心臓活動の検出された固有レートに基づいてペーシングパルスを送出するレートを調節し得るという点で、上述のデマンドペーシングのものと同様である。患者のＥＣＧに対する装置の感度は、デマンドペーシングに関して上述したものと同様の態様で調節されてもよい。さらに、捕捉管理ペーシングは、徐脈、頻脈、認識可能な洞調律がない不規則な心拍数、心停止、または無脈性電気活動といった、上述のデマンドペーシングと同じタイプの心不整脈を治療するために、使用されてもよい。
【００７５】
しかしながら、デマンドペーシングを行なう装置とは対照的に、捕捉管理ペーシングを行なうように構成された装置は典型的には、デマンドペーシングを行なうように構成された装置よりも著しく短い不応期４３０（図４参照）を有するであろう。実際、捕捉管理ペーシングを使用する場合、不応期４３０は全くないかもしれず、ブランキング間隔４２０
のみがあるかもしれない。また、これに代えて、不応期４３０がある場合、不応期４３０は持続時間がブランキング間隔４２０と同様であってもよい。当業者であれば認識するように、これは、捕捉管理ペーシング中、エネルギーの送出されたパルスが捕捉をもたらしたかどうか検出するために、患者の心臓の反応がＥＣＧ検知電極１１２とＥＣＧモニタリングおよび検出回路とによってモニタリングされるためである。この理由により、ＥＣＧモニタリングおよび検出回路は、エネルギーパルスの送出中はスイッチオフされるかまたは効果的に無効にされるものの、送出されたパルスが捕捉をもたらしたかどうか検出するために、その後すぐにスイッチオンされるかまたは他の態様で有効にされるということが重要である。４０ｍｓの定電流パルスが使用される一実施形態では、ＥＣＧモニタリングおよび検出回路の飽和を回避しつつ、ペーシングパルスによって誘発された患者の心臓のいかなる固有の電気活動も検出されることを確実にするために、ブランキング間隔４２０はおよそ４５ｍｓに設定されてもよい。
【００７６】
捕捉管理ペーシング中、医療モニタリングおよび治療装置は、捕捉がもたらされたか判断するために、定めれたエネルギーレベルでエネルギーのパルスを送出して、患者の反応をモニタリングすることができる。送出されたパルスが捕捉をもたらさなかったと判断された場合、次のパルスのエネルギーレベルが増加されてもよい。たとえば、装置が患者の外部にある医療モニタリングおよび治療装置である場合、初期設定は、４０ｍＡｍｐｓの電流で４０ｍｓの直線定電流パルスのエネルギーを提供し、捕捉がもたらされるまで電流の量を２ｍＡｍｐｓずつ増加させるように構成されてもよい。次のペーシングパルスが、第１のペーシングパルスに比べて増加した電流で、および患者の検出された固有の心臓活動がない場合の第１のペーシングパルスに対する所望のレートで、送出されてもよい。次のペーシングパルスが捕捉をもたらさない場合、捕捉が検出されるまでエネルギーが増加されてもよい。医療モニタリングおよび治療装置は次に、このエネルギーレベルで、および患者の検出された固有の心臓活動がない場合の所望のレートで、ペーシングを続けてもよい。この期間中、装置は、ペーシングパルスに対する患者の心臓の反応をモニタリングしており、その後の１回以上のパルスにわたって捕捉がもたらされなかったと判断された場合にはエネルギーレベルをさらに増分してもよい。
【００７７】
代替的な一構成では、医療モニタリングおよび治療装置は、捕捉がもたらされたかどうか判断するために、初期エネルギーレベルおよびレートで一連のパルスを印加し、患者の反応をモニタリングしてもよい。捕捉がもたらされなかった場合、またはパルスのうちのすべてではないもののいくつかに応答して捕捉がもたらされた場合、装置は、各パルスについて捕捉がもたらされるまで、次の一連のパルスのエネルギーを増加させてもよい。
【００７８】
また、これに代えて、装置は、捕捉管理ペーシング中に捕捉をもたらす最小量のエネルギーを識別するように構成されてもよい。送出されたパルスが捕捉をもたらしたと判断された場合、次のパルスのエネルギーレベルが減少されてもよい。たとえば、装置が患者の外部にある医療モニタリングおよび治療装置である場合、初期設定は、７０ｍＡｍｐｓの電流で４０ｍｓの定電流パルスのエネルギーを提供するように構成されてもよい。送出されたパルスが捕捉をもたらしたと判断された場合、捕捉がもはや達成されなくなるまで、次のペーシングパルスが、５ｍＡｍｐｓずつ減少されて、および患者の検出された固有の心臓活動がない場合の第１のペーシングパルスに対する所望のレートで、送出されてもよい。次のペーシングパルスが捕捉をもたらさない場合、捕捉をもたらすパルスを生成するために、わかっている最後の電流までエネルギー設定を増加させてもよく、次により高いエネルギー設定でパルスを送出し、このように、捕捉のために必要とされる最小量のエネルギーを送出する。医療モニタリングおよび治療装置は次に、このエネルギーレベルで、および患者の検出された固有の心臓活動がない場合の所望のレートで、ペーシングを続けてもよい。この期間中、捕捉のために最小量のエネルギーが送出されていることを確実にするために、同様のルーチンが予め定められた間隔で再度行なわれてもよい。加えて、こ
の期間中、装置は、ペーシングパルスに対する患者の心臓の反応をモニタリングしており、その後の１回以上のパルスにわたって捕捉がもたらされなかったと判断された場合にはエネルギーレベルを増加させてもよい。
【００７９】
上述のさまざまな実施形態では、救命除細動または電気的除細動治療を提供するだけではなく、多種多様の異なるペーシング治療法も提供し得る、外部の医療モニタリングおよび治療装置が説明されてきた、ということが認識されるべきである。医療モニタリングおよび治療装置は、患者の固有の心臓活動、患者の胸郭インピーダンス、および患者の他の生理学的パラメータをモニタリングできるため、装置は、検討および承認のために医療専門家にさまざまな設定を推奨するように構成されてもよい。推奨され得るさまざまな設定は、推奨されるベースペーシングレート、推奨されるヒステリシスレート、推奨される抗頻脈性不整脈ペーシングレート、推奨されるエネルギーレベル（または、捕捉管理が使用される場合、初期エネルギーレベル）、推奨されるブランキング間隔および／または不応期、ならびに推奨された感度しきい値を含んでいてもよい。ライフベスト（登録商標）電気的除細動器といった医療モニタリングおよび治療装置の場合、この初期推奨は、患者に装置が装着され、患者が装置の使用について訓練される際に行なわれてもよい。
【００８０】
検討および承認のために医療専門家にそのような設定を推奨する能力は、ライフベスト（登録商標）電気的除細動器といった医療モニタリングおよび治療装置に特に良好に適しているが、そのような機能性は、マサチューセッツ州チェルムズフォードのゾール  メディカル  コーポレイション製のＭシリーズ除細動器、ＲシリーズＡＬＳ除細動器、Ｒシリーズプラス（R Series Plus）除細動器、またはＥシリーズ除細動器といった、自動体外
式除細動器（Automated External Defibrillator：ＡＥＤ）または高度生命維持（Advanced Life Support：ＡＬＳ）タイプの除細動器でも実現可能である。患者の固有の心臓活
動および他の生理学的パラメータをモニタリングすること、ならびに、それらの検討および承認（または起こり得る修正）のために訓練された医療専門家への推奨を行なうことは、患者での使用に先立ってそのような装置を手動で構成するのに費やされる時間量を減少させ得る、ということが認識されるべきである。
【００８１】
このようにこの発明の少なくとも１つの実施形態のいくつかの局面を説明してきたが、当業者であれば、さまざまな変更、修正および改良を容易に思いつくであろう、ということが認識されるべきである。そのような変更、修正および改良は、この開示の一部であるように意図されており、この発明の範囲内に該当するように意図されている。したがって、前述の説明および図面は、単なる例示である。
【図１】
2018161511.tif 000003
【図２】
2018161511.tif 000004
【図３】
2018161511.tif 000005
【図４】
2018161511.tif 000006
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
非侵襲性の、身体に取付けられる、携帯型医療モニタリングおよび治療装置であって、
患者の胴の周りで着用されるように構成されたハーネスと、
前記患者の身体の周りのさまざまな位置において、前記ハーネス内に配置されたＥＣＧ検知電極と、
前記ハーネスに結合され、前記患者の身体の表面に位置付けられた少なくとも１つの治療電極と、
前記ＥＣＧ検知電極から得られた、前記患者の心臓活動を示す情報を格納するメモリと、
複数のペーシングルーチンを実行する複数の要素とを備え、前記複数のペーシングルーチンの各ペーシングルーチンは、除脈、頻脈および心停止を含む複数の心不整脈のうちのそれぞれの心不整脈に対応し、
前記携帯型医療モニタリングおよび治療装置は、
前記メモリおよび前記少なくとも１つの治療電極に結合された少なくとも１つのプロセッサをさらに備え、
前記少なくとも１つのプロセッサは、
前記情報において、前記複数の心不整脈からある心不整脈を識別し、
識別された心不整脈を治療するために、前記複数の要素のうち、前記識別された心不整脈に対応する少なくとも１つのペーシングルーチンを少なくとも部分的に実行することによって前記識別された心不整脈に応答するように構成されている、装置。
【請求項２】
前記携帯型医療モニタリングおよび治療装置は、除細動器である、請求項１に記載の装置。
【請求項３】
前記識別された心不整脈が徐脈である場合、
前記少なくとも１つのペーシングルーチンは、
心拍を検出することなく第１の間隔が経過したと判断し、
前記第１の間隔が経過したと判断したことに応答して、前記少なくとも１つの治療電極を介してペーシングパルスを印加するように構成されている、請求項１または２に記載の装置。
【請求項４】
前記第１の間隔は、ベースペーシングレートおよびヒステリシスレートによって規定される、請求項３に記載の装置。
【請求項５】
前記少なくとも１つのペーシングルーチンはさらに、
第２の間隔の経過に先立って固有心拍を検出し、
ベースペーシングレートと、ヒステリシスレートと、固有心拍が検出された点とに基づいて、第３の間隔を判断し、
前記第３の間隔内で別の固有心拍が生じるかどうか判断するように構成されている、請求項４に記載の装置。
【請求項６】
前記識別された心不整脈が頻脈である場合、
前記少なくとも１つのペーシングルーチンは、
第１の間隔の経過に先立って複数の固有心拍を検出するように構成されており、前記複数の固有心拍は固有周波数を有し、前記第１の間隔は抗頻脈性不整脈ペーシングレートによって規定され、前記少なくとも１つのペーシングルーチンはさらに、
前記固有周波数を検出したことに応答して、前記少なくとも１つの治療電極を介して一連のペーシングパルスを印加するように構成されており、前記一連のペーシングパルスは、前記固有周波数を上回る周波数を有する、請求項１または２に記載の装置。
【請求項７】
前記少なくとも１つのペーシングルーチンはさらに、前記一連のペーシングパルスを印加後に、第２の間隔内に他の複数の固有心拍が生じたか否かを検出するように構成され、
前記第２の間隔は、前記抗頻脈性不整脈ペーシングレートによって規定される、請求項６に記載の装置。
【請求項８】
前記識別された心不整脈が心停止である場合、
前記少なくとも１つのペーシングルーチンは、
心拍を検出することなく第１の間隔が経過したと判断し、
前記第１の間隔が経過したと判断したことに応答して、前記少なくとも１つの治療電極を介してペーシングパルスを印加するように構成されている、請求項１または２に記載の装置。
【請求項９】
前記少なくとも１つのペーシングルーチンはさらに、前記ペーシングパルスを印加する前に、除細動ショックを印加するように構成されている、請求項８に記載の装置。
【請求項１０】
前記複数の不整脈は不規則な心拍数をさらに含み、
前記識別された心不整脈が不規則な心拍数である場合、
前記少なくとも１つのペーシングルーチンは、
前記情報内において、より低い周波数を有する第１の一連の心拍を識別し、
前記情報内において、より高い周波数を有する第２の一連の心拍を識別し、
不規則な心拍数を識別したことに応答して、前記少なくとも１つの治療電極を介して一連のペーシングパルスを印加するように構成されており、前記一連のペーシングパルスは、より低い周波数を上回り、かつより高い周波数を下回る周波数を有する、請求項１または２に記載の装置。
【請求項１１】
前記少なくとも１つのペーシングルーチンはさらに、
前記少なくとも１つのペーシングルーチンが捕捉をもたらしたかどうか判断し、
捕捉がもたらされなかったと判断したことに応答して、前記少なくとも１つのペーシングルーチンのその後の実行中に印加されるペーシングパルスの特性を調節するように構成されている、請求項１または２に記載の装置。
【請求項１２】
調節されるペーシングパルスの特性は、パルスエネルギーレベル、パルスレート、およびパルス幅を含む、請求項１１に記載の装置。
【請求項１３】
前記少なくとも１つのペーシングルーチンはさらに、
前記少なくとも１つのペーシングルーチンが捕捉をもたらしたかどうか判断し、
捕捉がもたらされたと判断したことに応答して、前記少なくとも１つのペーシングルーチンのその後の実行中に印加されるペーシングパルスの特性を調節するように構成されている、請求項１または２に記載の装置。
【請求項１４】
非侵襲性の、身体に取付けられる、携帯型医療モニタリングおよび治療装置によって実行される方法であって、前記携帯型医療モニタリングおよび治療装置は、患者の胴の周りで着用されるように構成されたハーネスと、前記患者の身体の周りのさまざまな位置において、前記ハーネス内に配置されたＥＣＧ検知電極と、患者の身体の表面に配置された少なくとも１つの治療電極とを含み、
前記方法は、
前記携帯型医療モニタリングおよび治療装置が、前記ＥＣＧ検知電極から得られた、前記患者の心臓活動を示す情報をモニタリングすることと、
前記携帯型医療モニタリングおよび治療装置が、前記患者の心臓活動を示す前記情報において心不整脈を識別することとを備え、前記複数の心不整脈は、除脈、頻脈および心停止を含み、
前記携帯型医療モニタリングおよび治療装置が、識別された心不整脈に基づいて、複数のペーシングルーチンから、前記識別された心不整脈に対応する少なくとも１つのペーシングルーチンを選択することとを備える、方法。
【請求項１５】
前記識別された心不整脈が徐脈である場合、
前記少なくとも１つのペーシングルーチンは、
心拍を検出することなく第１の間隔が経過したと判断することを含む、請求項１４に記載の方法。
【請求項１６】
前記識別された心不整脈が頻脈である場合、
前記少なくとも１つのペーシングルーチンは、
第１の間隔の経過に先立って複数の固有心拍を検出することを含み、前記複数の固有心拍は固有周波数を有し、前記第１の間隔は抗頻脈性不整脈ペーシングレートによって規定される、請求項１４に記載の方法。
【外国語明細書】
2018161511000001.pdf